(57)【特許請求の範囲】
【請求項１】
照明、表札、インターホン、郵便受け等の玄関先機能のうち、所定の玄関先機能が装備されるエントランスポールを、集合住宅に複数設置する集合住宅用エントランスポールシステムであって、前記集合住宅の共有通路スペースと、該共有通路スペースを介して繋がる複数の玄関先スペースとの間に仮想区画線を想定すると共に、各戸の玄関に対応するエントランスポールを前記仮想区画線に沿って複数設置し、該エントランスポール群を、前記仮想区画線を立体的に指標する区画線指標部材に兼用したことを特徴とする集合住宅用エントランスポールシステム。
【請求項２】
請求項１において、照明、表札、インターホン、郵便受け等の玄関先機能のうち、所定の玄関先機能が装備される前記集合住宅の各玄関先スペースとなる床面にそれぞれ立設される前記エントランスポールに、少なくとも郵便受けを装備するにあたり、該郵便受けを、エントランスポール本体の中空部に形成すると共に、該中空部は、前記エントランスポール本体を、円筒状もしくは角筒状の柱体で形成して該柱体の筒内に形成し、または、所定間隔を存して対向する帯状板材からなる柱体で形成して該柱体の板間に形成せしめ、前記柱体の筒内に形成される郵便受けを、前記柱体の前面側に開設される郵便出し入れ口と、前記郵便出し入れ口を開閉自在に覆蓋する開閉蓋とで構成し、前記柱体の板間に形成される郵便受けを、前記板間に形成される開口部のうち、一方の背面又は側面側となる開口部を板材で覆うことで他方の開口部に形成させた郵便出し入れ口と、該郵便出し入れ口を開閉自在に覆蓋する開閉蓋とで構成し、さらに、前記中空部の下端部を、前記床面にその仕上げ面から臨ませて埋設した取付台座に対してボルト固定することで、前記エントランスポール本体を床面に一体的に立設させたことを特徴とする集合住宅用エントランスポールシステム。
【請求項３】
請求項２において、前記帯状板材からなる柱体で形成しエントランスポール本体の上端側に所定の玄関先機能を装備し、該玄関先機能の上方を、前記帯状板材の上端部同志を一体的に連結する連結部で覆うことを特徴とする集合住宅用エントランスポールシステム。
【請求項４】
請求項２において、前記所定間隔を存して対向する帯状板材のうち、一方の帯状板材を他方の帯状板材よりも上方に延出させると共に、該延出部に所定の玄関先機能を装備し、さらに、該玄関先機能の上方を、前記延出部の上端部に形成した折曲部で覆うことを特徴とする集合住宅用エントランスポールシステム。
【発明の詳細な説明】
【０００１】
【発明の属する技術分野】
本発明は、照明、表札、インターホン、郵便受け等の玄関先機能のうち、所定の玄関先機能が装備されるエントランスポールを、集合住宅に複数設置する集合住宅用エントランスポールシステムの技術分野に属するものである。
【０００２】
【従来の技術】
近年、マンション等の集合住宅においては、戸建て住宅の様に専有の玄関先スペースを確保することが望まれているが、共有通路スペースの壁面を部分的に室内側に窪ませて各戸専有の玄関先スペースを確保した場合には、建物の平面形状が複雑になって建物の本体工事コストが上昇する不都合があった。
【０００３】
そこで、前記共有通路スペースの通路幅を予め広めに設定し、その一部を各戸専有の玄関先スペースとして区画する試みがあり、例えば、共有通路スペースと各戸の玄関先スペースとに色違いのタイルを敷設して両スペースを区画したり、共有通路スペースと各戸の玄関先スペースとの間に門扉、フェンス等の仕切部材を立設して両スペースを区画することが提案される。しかるに、前者にあっては、両スペースの区画が平面的に指標されるに過ぎないため、専有の玄関先スペースが共有通路スペースとして認識されてしまう惧れがある一方、後者にあっては、建物の附帯工事コストが上昇したり、閉鎖的なイメージが強くなりすぎる不都合があり、そのため、両スペースを仕切部材で仕切ることなく明確に認識できる区画指標が望まれていた。
【０００４】
【発明が解決しようとする課題】
本発明は、上記の如き問題点を一掃すべく創案されたものであって、共有通路スペースと各戸専有の玄関先スペースとの区画を、門扉等の仕切部材で仕切ることなく立体的に指標することができ、しかも、附帯工事コストの上昇を抑えることができる集合住宅用エントランスポールシステムを提供することを目的とする。
【０００５】
【課題を解決するための手段】
上記課題を解決するために本発明が採用した技術手段は、照明、表札、インターホン、郵便受け等の玄関先機能のうち、所定の玄関先機能が装備されるエントランスポールを、集合住宅に複数設置する集合住宅用エントランスポールシステムであって、前記集合住宅の共有通路スペースと、該共有通路スペースを介して繋がる複数の玄関先スペースとの間に仮想区画線を想定すると共に、各戸の玄関に対応するエントランスポールを前記仮想区画線に沿って複数設置し、該エントランスポール群を、前記仮想区画線を立体的に指標する区画線指標部材に兼用したことを特徴とする。
【０００６】
【発明の実施の形態】
以下、本発明の実施の形態を好適な実施の形態として例示する集合住宅用エントランスポールシステムを図面に基づいて詳細に説明する。図１は集合住宅の共有通路スペースＳ１等を示す要部概略平面図であり、該共有通路スペースＳ１と各戸の室内とを仕切る平面視略直線状の壁部Ｈには、各戸の玄関用開口部Ｋが通路方向に所定間隔を存して複数形成されているが、前記共有通路スペースＳ１の通路幅Ｗは、その一部を各戸専有の玄関先スペースＳ２として区画すべく、予め広めに設定されている。そして、共有通路スペースＳ１および玄関先スペースＳ２の床面をタイル仕上とする本実施形態においては、共有通路スペースＳ１と玄関先スペースＳ２とに色違いのタイルＴ１、Ｔ２を敷設して両スペースＳ１、Ｓ２の区画を平面的に指標している。尚、Ｄは前記玄関用開口部Ｋに取付けられる玄関ドアである。
【０００７】
さて、１は集合住宅用エントランスポールシステムを構成するエントランスポールであって、該エントランスポール１は、床面に一体的に立設されるポール本体２に、照明３、表札４、インターホン５、郵便受け（新聞受け）６等の玄関先機能を装備したものであり、従来では、戸建て住宅の玄関先を演出する演出アイテムとして単独使用されているが、本発明においては、集合住宅の各玄関先にエントランスポール１を設置すると共に、該エントランスポール１群を、前記共有通路スペースＳ１と玄関先スペースＳ２との区画を明確に指標する部材として機能させている。即ち、集合住宅の共有通路スペースＳ１と、該共有通路スペースＳ１を介して繋がる複数の玄関先スペースＳ２との間に、連続した仮想区画線を想定すると共に、各戸の玄関に対応するエントランスポール１を、前記仮想区画線に沿って複数設置しており、そのため、該エントランスポール１群を、前記仮想区画線を立体的に指標する区画線指標部材に兼用することが可能になる。従って、両スペースＳ１、Ｓ２の区画を、単に平面的に指標する場合の如く、専有の玄関先スペースＳ２が共有通路スペースＳ１として認識されてしまうことがなく、しかも、両スペースＳ１、Ｓ２を門扉等の仕切部材で仕切るものではないため、附帯工事コストの上昇を抑えることができる許りか、閉鎖的なイメージが強くなる不都合も回避することができ、また、エントランスポール１を区画線指標部材に兼用することによって、玄関ドアＤ付近の袖壁等に装備されていたインターホン等の玄関先機能を玄関先スペースＳ２の前端側に移すことができるため、専有玄関先スペースＳ２の存在を一層明確にすることができると共に、玄関ドアＤ側の装備を減らして玄関ドアＤ付近をシンプルに構成できる利点がある。
【０００８】
次に、前記エントランスポール１の三つの実施形態を図面に基づいて順次説明する。図２（Ａ）は第一実施形態を示すエントランスポール１Ａの斜視図であって、該エントランスポール１Ａのポール本体２Ａは、中空状の円筒部材７で形成されており、その頂部には、透明もしくは半透明のカバー体８で覆われる照明３Ａが取付けられる一方、上端側前面部には、部屋番号や居住者の氏名を示す表札４Ａと、室内の親機（図示せず）に接続されるインターホン（子機）５Ａとが上下に並ぶように取付けられている。
【０００９】
６Ａは前記エントランスポール１Ａの中間部に装備される新聞や郵便物の郵便受けであって、該郵便受け６Ａは、ポール本体２Ａの筒内中空部を利用して形成されている。つまり、ポール本体２Ａを形成する円筒部材７の前面側に郵便出し入れ口７ａを開設すると共に、該郵便出し入れ口７ａから投函された郵便等を受止める受止め部材（図示せず）を前記中空部に設け、さらに、該郵便出し入れ口７ａを、円筒部材７の内周面に沿って左右方向にスライド自在な開閉蓋９で覆蓋して郵便受け６Ａを構成しているため、郵便受け６Ａがポール本体２Ａから外方に突出して通行の妨げになったり、エントランスポール１Ａの外観を損なう不都合を回避することができ、しかも、第一実施形態では、ポール本体２Ａを形成する円筒部材７の周壁を郵便受け６Ａのケース体に兼用しているため、郵便受け６Ａを独立して構成する場合に比して構造の簡略化や部品点数の削減を図ることができるようになっている。
【００１０】
また、図３（Ａ）は第二実施形態を示すエントランスポール１Ｂの斜視図であって、該エントランスポール１Ｂのポール本体２Ｂは、帯状板材１０を逆Ｕ字状に曲げ加工して形成されており、左右に所定間隔を存して対向する帯状板材１０の板間中空部には、上から順に照明３Ｂ、表札４Ｂ、インターホン５Ｂおよび郵便受け６Ｂが取付けられている。即ち、エントランスポール１Ｂが装備する郵便受け６Ｂ等の玄関先機能をポール本体２Ｂの板間中空部を利用して取付けているため、郵便受け６Ｂ等の玄関先機能がポール本体２Ｂから外方に大きく突出することがなく、その結果、郵便受け６Ｂ等の玄関先機能が通行の妨げになったり、エントランスポール１Ｂの外観を損なう不都合を回避することができるようになっている。尚、１８は前記郵便受け６Ｂを形成するケース体、１９はケース体１８の前面に形成される郵便出し入れ口１８ａを開閉する蓋部材である。
【００１１】
ところで、左右に所定間隔を存して対向する帯状板材１０の上端部同志は、円弧状の連結部１０ａを介して一体的に連結されているが、該連結部１０ａは、照明３Ｂの取付部に兼用されると共に、照明３Ｂの上方を覆うカバー部材に兼用されており、そのため、専用の照明取付部材や照明カバー部材を設ける場合に比して構造の簡略化および部品点数の削減を図ることができるようになっている。
【００１２】
また、図４は第三実施形態を示すエントランスポール１Ｃの斜視図であって、該エントランスポール１Ｃのポール本体２Ｃは、前後に所定間隔を存して対向する一対の帯状板材１１、１２で形成されており、その上下中間位置に郵便受け６Ｃが装備されるが、該郵便受け６Ｃは、前後帯状板材１１、１２の板間中空部を利用して形成されている。即ち、ポール本体２Ｃの左右に形成される開口部のうち、一方の開口部を板材（図示せず）で覆蓋する一方、他方の開口部を郵便出し入れ口１３とし、該郵便出し入れ口１３を、下端側を支点として外側方に回動自在な開閉蓋１４で覆蓋して郵便受け６Ｃを構成しているため、郵便受け６Ｃがポール本体２Ｃから外側方に突出して通行の妨げになったり、エントランスポール１Ｃの外観を損なう不都合を回避することができ、しかも、第三実施形態では、ポール本体２Ｃを形成する帯状板材１１、１２を郵便受け６Ｃのケース体に兼用しているため、郵便受け６Ｃを独立して構成する場合に比して構造の簡略化や部品点数の削減を図ることができるようになっている。
【００１３】
また、第三実施形態においては、前後に所定間隔を存して対向する帯状板材１１、１２のうち、後側の帯状板材１２を前側の帯状板材１１よりも上方に延出させると共に、該延出部１２ａに照明３Ｃおよび表札４Ｃを取付けているが、延出部１２ａに取付けた照明３Ｃおよび表札４Ｃの上方を、前記延出部１２ａの上端部に形成した折曲部１２ｂで覆うように構成している。つまり、帯状板材１２の上端部を前方に折曲させて照明３Ｃおよび表札４Ｃのカバー部材に兼用しているため、専用のカバー部材を設ける場合に比して構造の簡略化および部品点数の削減を図ることができるようになっている。
【００１４】
また、前側帯状板材１１の上端部は、後傾状に折曲されて後側帯状板材１２に一体的に接合されるが、後傾状に折曲された折曲部１２ｃは、前後の帯状板材１１、１２を一体的に連結する連結部材として機能する許りでなく、インターホン５Ｃの取付部材や、郵便受け６Ｃの上方を覆うカバー部材にも兼用されている。
【００１５】
最後に、前記エントランスポール１の施工手順を図５に基づいて説明する。まず、スラブ１５にコンクリートを流し込む前の段階で、エントランスポール１の取付台座１６を鉄筋１７に溶接止めすると共に、配線用パイプ（図示せず）をスラブ１５内に配管し、しかる後、コンクリートを流し込んで取付台座１６および配管用パイプを埋設状に固定する。そして、スラブ１５が形成された後は、その上面をタイルＴ２等で仕上げると共に、仕上げ面と面一になった取付台座１６にエントランスポール１の下端をボルト固定し、さらに、前記配線用パイプから引き出される配線を照明３およびインターホン５に接続してエントランスポール１の施工が完了する。
【００１６】
叙述の如く構成された本発明の実施の形態において、集合住宅の共有通路スペースＳ１と、該共有通路スペースＳ１を介して繋がる複数の玄関先スペースＳ２との間に、連続した仮想区画線を想定すると共に、各戸の玄関に対応するエントランスポール１を、前記仮想区画線に沿って複数設置し、該エントランスポール１群を、前記仮想区画線を立体的に指標する区画線指標部材に兼用している。従って、両スペースＳ１、Ｓ２の区画を、単に平面的に指標する場合の如く、専有の玄関先スペースＳ２が共有通路スペースＳ１として認識されてしまうことがなく、しかも、両スペースＳ１、Ｓ２を門扉等の仕切部材で仕切るものではないため、附帯工事コストの上昇を抑えることができる許りか、閉鎖的なイメージが強くなる不都合も回避することができる。また、エントランスポール１を区画線指標部材に兼用することによって、玄関ドアＤ付近に装備されていたインターホン等の玄関先機能を玄関先スペースＳ２の前端側に移すことができるため、専有玄関先スペースＳ２の存在を一層明確にすることができると共に、玄関ドアＤ側の装備を減らして玄関ドアＤ付近をシンプルに構成できる利点がある。
さらに、共有通路スペースＳ１の通路幅Ｗに、ある程度余裕があれば、既設の共同住宅であっても採用することができ、また、前記仮装区画線は線そのものが存在する必要はなく、要は玄関先スペースＳ２を確保するエントランスポール１を設置するための目安幅であればよく、その様な仮装区画線が存在しないところであっても、エントランスポールが設置されてしまえば、隣設するエントランスポール１、１‥‥を結ぶ仮装線が仮装区画線として機能するという利点がある。
【００１７】
また、第一〜第三実施形態においては、エントランスポール１に郵便受け６を装備するにあたり、該郵便受け６を、ポール本体２の中空部に形成したため、郵便受け６がポール本体２から外方に突出して通行の妨げになったり、エントランスポール１の外観を損なう不都合を回避することができる。
なお、これら実施の形態において、郵便受け６を上下に複数段設けて、新聞専用のものと郵便物専用のものとを使い分けるなどすれば、中空部の更なる有効活用が図られる。
【００１８】
また、第一実施形態においては、エントランスポール１Ａのポール本体２Ａを、中空状の円筒部材７で形成すると共に、該円筒部材７の周壁を郵便受け６Ａのケース体に兼用しているため、郵便受け６Ａを独立して構成する場合に比して構造の簡略化や部品点数の削減を図ることができる。
【００１９】
また、第三実施形態においては、エントランスポール１Ｃのポール本体２Ｃを、所定間隔を存して対向する帯状板材１１、１２で形成すると共に、該帯状板材１１、１２を郵便受け６Ｃのケース体に兼用しているため、郵便受け６Ｃを独立して構成する場合に比して構造の簡略化や部品点数の削減を図ることができる。
【００２０】
また、第二実施形態においては、帯状板材１０で形成されるポール本体２Ｂの上端側に照明３Ｂを装備するにあたり、帯状板材１０の上端部同志を一体的に連結する連結部１０ａを、照明３Ｂの取付部や、照明３Ｂの上方を覆うカバー部材に兼用しているため、専用の照明取付部材や照明カバー部材を設ける場合に比して構造の簡略化および部品点数の削減を図ることができる。
【００２１】
また、第三実施形態においては、所定間隔を存して対向する帯状板材１１、１２のうち、後側の帯状板材１２を前側の帯状板材１１よりも上方に延出させると共に、該延出部１２ａに照明３Ｃおよび表札４Ｃを取付け、さらに、照明３Ｃおよび表札４Ｃの上方を、前記延出部１２ａの上端部に形成した折曲部１２ｂで覆うようにしたため、専用のカバー部材を設ける場合に比して構造の簡略化および部品点数の削減を図ることができる。
【００２２】
尚、本発明は、前記実施形態に限定されないものであることは勿論であって、例えば共有通路スペースと各戸の室内とを仕切る壁部は、必ずしも直線である必要はなく、前記壁部に凹凸があっても２つ以上のエントランスポールが同時に視野に入るように設置可能であれば、これらエントランスポール群を区画線指標部材として機能させることができる。
また、本発明のエントランスポール構造を、個建て住宅に使用できることは言うまでもない。
【００２３】
【発明の効果】
本発明は、照明３、表札４、インターホン５、郵便受け６等の玄関先機能のうち、所定の玄関先機能が装備されるエントランスポール１を、集合住宅に複数設置する集合住宅用エントランスポールシステムであって、前記集合住宅の共有通路スペースＳ１と、該共有通路スペースＳ１を介して繋がる複数の玄関先スペースＳ２との間に仮想区画線を想定すると共に、各戸の玄関に対応するエントランスポール１を前記仮想区画線に沿って複数設置し、該エントランスポール群を、前記仮想区画線を立体的に指標する区画線指標部材に兼用するため、両スペースＳ１、Ｓ２の区画を、単に平面的に指標する場合の如く、専有の玄関先スペースＳ２が共有通路スペースＳ１として認識されてしまうことがなく、しかも、両スペースＳ１、Ｓ２を門扉等の仕切部材で仕切るものではないため、附帯工事コストの上昇を抑えることができる許りか、閉鎖的なイメージが強くなる不都合も回避することができる。また、エントランスポール１を区画線指標部材に兼用することによって、玄関ドア付近に装備されていたインターホン等の玄関先機能を玄関先スペースＳ２の前端側に移すことができるため、専有玄関先スペースＳ２の存在を一層明確にすることができると共に、玄関ドア側の装備を減らして玄関ドア付近をシンプルに構成できる利点がある。
また、エントランスポール１は、上記のようにポール本体２の中空部内に郵便受け６を形成し、その郵便受け６の開口部に、開閉可能な開閉蓋９、１４，１９を設け、その開閉操作によって、当該開口部を郵便物の投函と取り出しの双方が行なえる郵便出し入れ口７ａ、１８ａ、１３として構成できるので、玄関ドア側の郵便受け装備をポール本体２側に移せるものでありながら、郵便受け６の中空部を新聞受けとしても利用することができ、構造の簡略化や部品点数の削減を図ることができると共に、ポール本体２を１本の柱体の外観によって構成することができる。その結果、エントランスポール１を区画線指標部材に兼用して使用した際に、玄関先スペースＳ２の閉鎖的なイメージが回避され、郵便受け６がポール本体２から外方に突出して通行の妨げになったり、エントランスポール１の外観を損なう不都合を回避することができ、さらに、床面仕上げ後であっても取付台座１６を介して設置できる。
【図面の簡単な説明】
【図１】集合住宅用エントランスポールシステムを示す集合住宅の要部概略平面図である。
【図２】（Ａ）はエントランスポールの第一実施形態を示す斜視図、（Ｂ）は郵便受けを開けた状態を示す同斜視図である。
【図３】（Ａ）はエントランスポールの第二実施形態を示す斜視図、（Ｂ）は郵便受けを開けた状態を示す同斜視図である。
【図４】（Ａ）はエントランスポールの第三実施形態を示す斜視図、（Ｂ）は郵便受けを開けた状態を示す同斜視図、（Ｃ）は同背面図である。
【図５】エントランスポールの施工例を示す側面断面図である。
【符号の説明】
１    エントランスポール
２    ポール本体
３    照明
４    表札
５    インターホン
６    郵便受け
Ｈ    壁部
Ｋ    玄関用開口部
Ｓ１  共有通路スペース
Ｓ２  玄関先スペース
【図１】
0004210885.tif 000002
【図２】
0004210885.tif 000003
【図３】
0004210885.tif 000004
【図４】
0004210885.tif 000005
【図５】
0004210885.tif 000006